(57)【要約】【課題】多品一葉図面に関するデータについて、設変処理が行われた場合、設変履歴符号を品番に付与することにより、多品一葉図面に関して設変履歴が明確になり、多品一葉図面の管理を正確に実施できることができる多品一葉図管理システムを提供する。【解決手段】  拡張ＰＤＭシステム１０は、複数の部品を一枚の図面に記述するための図面データ、及び該図面データに関連した部品品目情報を記憶するハードディスク２０５と、設変対象の部品に関する部品品目情報（部品情報，部品構成情報）に対して設変処理を行うＣＰＵ２０１を備える。ＣＰＵ２０１は、設変処理に応じて、部品品目情報に含まれる設変対象の部品の品番に対して設変履歴符号を付与して該品番を更新する。【選択図】        図１
2006127315.tif 000002
【特許請求の範囲】
【請求項１】
複数の部品を一枚の図面に記述するための図面データ、及び該図面データに関連した部品品目情報を記憶する記憶手段と、設変対象の部品に関する部品品目情報に対して設変処理を行う設変処理手段と、前記設変処理手段による設変処理に応じて、前記部品品目情報に含まれる設変対象の部品の品番に対して設変履歴符号を付与して該品番を更新する設変履歴付与手段を備えたことを特徴とする図面管理システム。
【請求項２】
前記設変履歴付与手段は、前記設変処理手段により設変処理が行われる毎に、予め決められた順に従って複数の設変履歴符号を順次設変対象の部品の品番に付与することを特徴とする請求項１に記載の図面管理システム。
【請求項３】
前記記憶手段は、前記設変履歴付与手段が、品番を更新したとき、更新前の品番を、来歴品番として設変対象の部品に関する部品品目情報に含ませて記憶することを特徴とする請求項１に記載の図面管理システム。
【請求項４】
前記設変履歴符号は、前記設変処理により設変処理が、更新前の品番に関する部品と互換性がある場合は、更新前の品番の部品と互換性があることを示す符号であることを特徴とする請求項１乃至請求項３のうちいずれか１項に記載の図面管理システム。
【請求項５】
前記設変処理手段にて設変処理され、設変履歴符号が付与されて更新された複数の品番から、代表品番と、枝品番とをそれぞれ選択する選択手段と、前記選択された代表品番と枝品番とを関連付けする関連付け手段とを備え、前記記憶手段は、前記関連付け手段にて関連付けされた代表品番と枝品番とを記憶することを特徴とする請求項１乃至請求項４のうちいずれか１項に記載の図面管理システム。
【請求項６】
印刷指令を出力する印刷指令手段を備え、前記印刷指令に応じて、前記関連付けされた代表品番と枝品番に基づいて、印刷媒体に対して、前記代表品番と枝品番を併記するように印刷する印刷手段を備えたことを特徴とする請求項５に記載の図面管理システム。
【発明の詳細な説明】
【技術分野】
【０００１】
本発明は、多品一葉図の管理を容易に行うことができる図面管理システムに関する。
【背景技術】
【０００２】
一般に、図面には、組立図や、部品図がある。組立図は、機械類の組立状態を示す図で、各部品の組立関係位置や関連寸法が示されており、全体の組立状態を示す総組立図や、一部品の組立状態を示す部品組立図がある。それに対して、部品図は、部品を製作するのに必要な形状・寸法、寸法の許容限界、面の肌、幾何公差のほか加工方法、材質、製作個数、質量等の事項を詳細に示した図面である。これらの、図面には、一品一葉式と多品一葉式等がある。一品一葉図面は、一つの部品又は組立図を１枚の製図用紙に書いた図面である。一品一葉図面には、例えば図面のコーナに、その部品を特定するための品番が記載される。
【０００３】
一方、多品一葉図面は、いくつかの部品、組立図等を１枚の用紙に書いた物で、部品の数が少ない物や、部品を常に対照したい場合等に便利である。多品一葉図面においても、図面に記載された複数部品のそれぞれを特定するために、例えば図面のコーナには、その部品を特定するための品番が記載される。この品番は、さらに、代表品番と枝品番とに区別される。代表品番は、図面の表題欄に記述される品番であり、枝品番は前記代表品番の製品に対して、例えば、ある部分の長さ等が異なる部品の品番である。
【０００４】
従来、これらの、多品一葉図面を含む部品図等を管理するシステムとして、ＰＤＭシステムがある。ＰＤＭシステムは、設計から製造全般に亘って多種多様なエンジニアリング・データを統合し、一元管理するコンピュータシステムであって、例えば、ＣＡＤデータ、部品情報（Parts  Number）を管理するファイル管理、部品の構成情報（部品構成情報（Parts  Structure））を管理する等の機能を有する。ＰＤＭシステムでは、前記部品構成情報をツリー形式に構成したデータベースで管理している。
【発明の開示】
【発明が解決しようとする課題】
【０００５】
ところで、従来は、多品一葉図面に関するデータを管理するシステムにおいては、設計変更によって、図面に関するデータの更新処理が行われた場合、どのデータについて更新処理が行われたか否かが不明となり、図面管理を行う上で、不便であった。例えば、履歴が不明であるため、更新前の部品の多品一葉図面に関して、どれを検索したら良いのか分からなくなる問題がある。なお、本明細書では、設計変更によって生じたデータの更新を、以下の説明では「設変」、又は「設変処理」という。
【０００６】
本発明の目的は、多品一葉図面に関するデータについて、設変処理が行われた場合、設変履歴符号を品番に付与することにより、多品一葉図面に関して設変履歴が明確になり、多品一葉図面の管理を正確に実施できることができる多品一葉図管理システムを提供することにある。
【課題を解決するための手段】
【０００７】
上記問題点を解決するために、請求項１に記載の発明は、複数の部品を一枚の図面に記述するための図面データ、及び該図面データに関連した部品品目情報を記憶する記憶手段と、設変対象の部品に関する部品品目情報に対して設変処理を行う設変処理手段と、前記設変処理手段による設変処理に応じて、前記部品品目情報に含まれる設変対象の部品の品番に対して設変履歴符号を付与して該品番を更新する設変履歴付与手段を備えたことを特徴とする図面管理システムを要旨とする。
【０００８】
請求項２の発明は、請求項１において、前記設変履歴付与手段は、前記設変処理手段により設変処理が行われる毎に、予め決められた順に従って複数の設変履歴符号を順次設変対象の部品の品番に付与することを特徴とする。
【０００９】
請求項３の発明は、請求項１において、前記記憶手段は、前記設変履歴付与手段が、品番を更新したとき、更新前の品番を、来歴品番として設変対象の部品に関する部品品目情報に含ませて記憶することを特徴とする。
【００１０】
請求項４の発明は、請求項１乃至請求項３のうちいずれか１項において、前記設変履歴符号は、前記設変処理により設変処理が、更新前の品番に関する部品と互換性がある場合は、更新前の品番の部品と互換性があることを示す符号であることを特徴とする。
【００１１】
請求項５の発明は、請求項１乃至請求項４のうちいずれか１項において、前記設変処理手段にて設変処理され、設変履歴符号が付与されて更新された複数の品番から、代表品番と、枝品番とをそれぞれ選択する選択手段と、前記選択された代表品番と枝品番とを関連付けする関連付け手段とを備え、前記記憶手段は、前記関連付け手段にて関連付けされた代表品番と枝品番とを記憶することを特徴とする。
【００１２】
請求項６の発明は、請求項５において、印刷指令を出力する印刷指令手段を備え、前記印刷指令に応じて、前記関連付けされた代表品番と枝品番に基づいて、印刷媒体に対して、前記代表品番と枝品番を併記するように印刷する印刷手段を備えたことを特徴とする。
【発明の効果】
【００１３】
請求項１乃至請求項６の発明によれば、設変処理を行う毎に、設変履歴符号が付されるため、多品一葉図面の設変履歴を容易に知ることができる。
請求項２の発明によれば、設変履歴符号が、予め決められた順に付与されるため、設変履歴の回数を容易に知ることができる。
【００１４】
請求項３の発明によれば、設変履歴付与手段が、品番を更新したとき、更新前の品番を、来歴品番として設変対象の部品に関する部品品目情報に含ませているため、この来歴品番を読み出せば、容易に、更新前の品番を探り出せ、図面の履歴を容易に知ることができる。
【００１５】
請求項４の発明によれば、更新後の品番に付された設変履歴符号を見ることにより、該更新後の品番の部品が、更新前の品番の部品と互換性があることを容易に知ることができる。
【００１６】
請求項５の発明によれば、関連付けされた代表品番と枝品番とに基づいて、多品一葉図面の管理を行うことができる。
請求項６の発明によれば、多品一葉図面に関して、印刷する場合、代表品番と枝品番とが印刷媒体に併記されるため、代表品番と枝品番とを明確にすることができる。
【発明を実施するための最良の形態】
【００１７】
以下、本発明の図面管理システムを拡張ＰＤＭシステム１０に具体化した実施形態を図１〜３０を参照して説明する。
（システム）
図１（ａ）は、拡張ＰＤＭシステム全体を示している。拡張ＰＤＭシステム１０は、ＰＤＭ本体システム１００，及びＰＤＭ設変システム２００の各システムを備えている。ＰＤＭ本体システム１００は、サーバマシーンを構成する高速かつ、大容量のコンピュータシステムである。ＰＤＭ本体システム１００は、ＣＰＵ（中央処理装置）１０１、ＲＡＭ、通信用ボード（ともに図示しない）等を備えている。又、ＰＤＭ本体システム１００は、後述するＰＤＭデータベースＤが格納されたハードディスク１０２を備えるとともに、図示しないディスプレイや、キーボード等の入力装置を備えている。ＰＤＭ設変システム２００の役割は、品番の変更、部品表及び設変指令書の発行である。
【００１８】
ＰＤＭ設変システム２００はＣＰＵ（中央処理装置）２０１、ＲＡＭ、通信用ボード（ともに図示しない）、記憶手段としてのハードディスク２０５等を備え、ＰＤＭ本体システム１００とデータ通信が可能である。又、ＰＤＭ設変システム２００のＣＰＵ２０１は、印刷指令を出力することにより、プリンタ２０６の印刷制御が可能である。ＰＤＭ設変システム２００は、自身のＣＰＵ２０１からの指示により、表示画面上に画像や文字列を表示するディスプレイ（表示部）２０２を備えている。
【００１９】
ＰＤＭ設変システム２００は、ＰＤＭ本体システム１００，及びＰＤＭ設変システム２００にそれぞれ操作者の指示を入力するための、キーボード２０３を備えている。又、ＰＤＭ設変システム２００は、ディスプレイ２０２の表示画面上の任意の位置をポインタにて指定し、マウス２０４の左右いずれかのボタンのクリックすると、そのときのマウスからの指令信号を入力する。この指令信号により、ポインタにて指定されたアイコン、ボタン等に応じた各種制御を行う。すなわち、マウス２０４は、右ボタン２０４Ｒ、及び左ボタン２０４Ｌを備えており、同ボタンによってクリック操作が可能である。
【００２０】
ＰＤＭ本体システム１００のハードディスク１０２に格納されたＰＤＭデータベースＤについて説明する。
（ＰＤＭデータベースＤ）
ＰＤＭデータベースＤは、各種製品を構成する部品の図面データ（ＣＡＤデータを含む）Ｄ０や、製品のデータのデータ管理情報Ｄ１が保持されている。データ管理情報Ｄ１は、データの属性、データの意味内容、各データのファイル名、物理的なファイル所在を示すアドレス等が含まれる。さらに、ＰＤＭデータベースＤには、前記製品を構成している各部品毎に、各部品に関する情報を示した部品品目情報Ｄ２を備えている。
【００２１】
部品品目情報Ｄ２は、ＰＤＭ本体システム１００のＣＰＵ１０１により、読み出されてこのデータを編集時の初期値として、ＰＤＭ設変システム２００にて取込み、編集可能である。部品品目情報Ｄ２は、部品情報（Parts  Number）ＰＮと、部品の構成情報、すなわち、部品構成情報（Parts  Structure）ＰＳとにて構成されている。
【００２２】
（前記部品情報ＰＮ）
前記部品情報ＰＮには、下記に示すデータを少なくとも備えている（図２（ａ）参照）。
【００２３】
品番、品名、来歴品番、設変番号（登録時）、設変番号（廃止時）、有効日（登録時）、失効日（登録時）、トップアッシーフラグ（前記品番がツリー形式において部品構成の最上位か否かを示すフラグ）、設変中ロックフラグ、代表品番、主ステイタス、副ステイタス、アイコン表示情報、備考，設変内容（メモ）等。
【００２４】
ここで、設変番号（登録時）は、登録時における設変番号（なお、設変Ｎｏと表記することがある）である。来歴品番は、設変により、品番が更新された場合の旧品番である。設変番号は、１つの又は複数の設変処理を行う場合のまとまり（設変処理単位）を特定するためのものである。設変番号（廃止時）は、廃止時における設変番号（設変Ｎｏ）である。ここでの有効日（登録時）は、後述する「Ｓ８０：設変承認」手続きで入力された日である。失効日（登録時）は、承認がキャンセルされたときの日付である。又、トップアッシーフラグは、部品表の単位となるか否かを識別するためのものである。このフラグがセットされていると、当該部品がツリー構造によって製品別のトップ（最上位）に位置することになり、この部品を筆頭に、部品表には下層の部品が記述されることになる。
【００２５】
設変中ロックフラグは、設変中であるときにセットされることにより、他のシステムから、同時に設変ができないようにロックするためのものである。
代表品番は、多品一葉図面の表題欄に表記される品番である。なお、多品一葉図面には、表題欄に記述される代表品番の他に、該多品一葉図面に記述される他の部品の品番を載せるリスト欄があり、当該品番が、代表品番でない場合には、前記リスト欄に記述される。主ステイタス、及び副ステイタスについては、後に詳述する。
【００２６】
アイコン表示情報には、当該品番において、主ステイタス及び副ステイタスの両ステイタスに応じたアイコンのコードが、選択されている。すなわち、該アイコン表示情報に応じたアイコンがディスプレイ２０２の表示画面に表示される。備考は、データの特記事項である。部品情報ＰＮでの、設変内容（メモ）は、設変の具体的な内容を示すデータであり、ディスプレイ２０２に設変プロパティの入力画面が表示された際に、入力可能である。
【００２７】
（部品構成情報ＰＳ）
一方、前記部品構成情報ＰＳは、下記のデータを、少なくとも備えている（図２（ｂ）参照）。
【００２８】
親品番、子品番、数量、単位、有効日（登録時）、失効日（登録時）、主ステイタス、副ステイタス、備考、設変内容（メモ）
親品番と子品番は、ツリー形式で、ディスプレイ２０２等の表示画面に表示する場合、親となる品番と子となる品番の関連付けを行うために付与されるものであり、それぞれに関係する品番のコードからなる。この関連付けが行われていることにより、関連付けされた親品番と子品番に関するデータは、階層構造となる。
【００２９】
数量及び単位は、部品構成の属性に関係するものである。数量は、例えば、親品番の部品（この場合、アッシーを意味する）に対して、子品番の部品が何個使用されるかを示す。単位は、使用される子品番の材質等に応じたものが使用される。ここでの有効日（登録時）は、後述する「Ｓ８０：設変承認」手続きで入力された日である。又、失効日（登録時）は、前記関連付けが解除された時の登録日である。
【００３０】
（主ステイタス、副ステイタス）
ここで、部品情報ＰＮ、及び部品構成情報ＰＳの主ステイタス、及び副ステイタスについて説明する。
【００３１】
主ステイタスは、ＰＤＭ本体システム１００への変更、すなわち、ＰＤＭデータベースＤへの変更状態が記してあるステイタスである。主ステイタスは、ＰＤＭデータベースＤにおける前記部品情報ＰＮ，部品構成情報ＰＳの変更履歴を表すためのものであり、「変更無し」、「新規」、「更新」、「ダミー」のＩＤコードのいずれかからなる。
【００３２】
(１)  主ステイタスの「変更無し」は、初期値として付与されるＩＤコードである。例えば、ＰＤＭ本体システム１００から、ＰＤＭ設変システム２００に一旦データが送信されて、該データにデータ更新がされずに、再度、ＰＤＭ本体システム１００のＰＤＭデータベースＤに該データが戻される場合には、そのまま初期値が保持される。
【００３３】
(２)  主ステイタスの「新規」は、データが新規に生成された場合に、ＰＤＭ本体システム１００又はＰＤＭ設変システム２００により付与されるＩＤコードである。
(３)  主ステイタスの「更新」は、ＰＤＭデータベースＤの当該設変番号に関するデータが更新された場合、ＰＤＭ本体システム１００又はＰＤＭ設変システム２００により付与されるＩＤコードである。
【００３４】
(４)  主ステイタスの「ダミー」は、ＰＤＭデータベースＤからＰＤＭ設変システム２００に送信されたデータ上に、ＰＤＭ本体システム１００において、データ更新の必要がある処理がされた際に、ＰＤＭ設変システム２００により付与されるＩＤコードである。
【００３５】
この場合、主ステイタスの「ダミー」に基づき、ＣＰＵ１０１は、ＰＤＭデータベースＤへの変更がされておらず、要変更として、ＰＤＭデータベースＤへの変更を促す旨をＰＤＭ本体システム１００の図示しないディスプレイの表示画面に表示する。又、ＰＤＭ設変システム２００のＣＰＵ２０１においても、この主ステイタスのダミーのＩＤコードに基づいて、ディスプレイ２０２にて、要変更として、ＰＤＭデータベースＤへの変更を促す旨を表示する。本実施形態の場合、ＰＤＭデータベースＤへの変更を促す旨は、図１８に示すように「（仮）」が、品番の前に付される。
【００３６】
副ステイタスは、「変更無し」、「マイナー設変」、「メジャー設変」、「使用追加」、「使用廃止」、「新設」、「数量変更」等のＩＤコードのいずれかからなる。この副ステイタスに基づいて、後述する設変指令書の「設変事項２５５」の内容が印字される（図２７参照）。
【００３７】
(１)  副ステイタスの「変更無し」は、初期値として付与されるＩＤコードである。
(２)  副ステイタスの「マイナー設変」は、旧品番から、新品番に変更された場合、互換性がある設変を意味するために付与されるＩＤコードである。ここで、互換性があるとは、設変(設計変更)があった場合、設変後の部品が、設計前の部品と同様に使用できる場合をいう。例えば、設変対象の部品がボルトである場合、設変前のボルトと同様に設変後のボルトが使用できる場合、互換性がある。
【００３８】
(３)  副ステイタスの「メジャー設変」は、旧品番から、新品番に変更された場合、互換性がない設変を意味するために付与されるＩＤコードである。ここで、互換性がないとは、設変があった場合、設変後の部品等が、設変前の部品と同様には使用できない場合をいう。例えば、設変後の部品が、ボルトである場合、設変前のボルトと同様には設変後のボルトが使用できず、設変後のボルトを使用する場合は、このボルトに螺合するナット等にも設変が必要な場合、互換性がないという。
【００３９】
(４)  副ステイタスの「使用追加」は、すでに品番が付与された構成を、追加先の構成に対して追加する処理が行われた場合に、該品番が付与された構成に付与されるＩＤコードである。
【００４０】
(５)  副ステイタスの「使用廃止」は、すでに品番が付与された構成を、処理対象の構成から削除する処理が行われた場合に、該品番が付与された構成に付与されるＩＤコードである。なお、処理対象の構成から削除する処理とは、品番を廃止することを意味しておらず、他の品番とのツリー形式の関連付けを解消する処理のことである。
【００４１】
(６)  副ステイタスの「新設」は、新しい品番を追加先の構成に追加する処理が行われた場合に、新設された新しい品番の部品に付与されるＩＤコードである。
(７)  副ステイタスの「数量変更」は、数量が変更された場合に、該変更があった部品に付与されるＩＤコードである。
【００４２】
(８)  部品構成情報ＰＳでの、設変内容（メモ）は、子品番における設変の具体的な内容を示すデータであり、ディスプレイ２０２に設変プロパティの入力画面が表示された際に、入力可能である。
【００４３】
次に、本実施形態のＰＤＭ設変システム２００は、図示しないＲＯＭに格納されたＰＤＭ設変プログラムにより、ディスプレイ２０２上に親品番と、子品番とをツリー形式にて表示する場合、親品番と子品番の前に、アイコン表示を行うようにされている。このアイコンの表示は、図３〜図６に示すように表示される。
【００４４】
アイコンの表示は、部品情報ＰＮと部品構成情報ＰＳの各主ステイタスと副ステイタスとに基づいて設定される。
（アイコンの説明）
図３（ａ）〜（ｃ）は、該アイコンが付与された品番自身に関しては変更がないことを示すノーマルアイコンを示しており、図３（ａ）のアイコンＩ１は、トップアッシー（ＴＯＰＡＳＳＹ）のノーマルアイコンである。なお、アッシーは、組立体を意味しているが、本明細書では、部品の意味は、説明の便宜上、組立体も含めて使用している。
【００４５】
図３（ｂ）のアイコンＩ２は、トップアッシーではないアッシーであって、下位に該アッシーを構成する部品の品番があるノーマルアイコンである。
図３（ｃ）のアイコンＩ３は、下位に構成する部品の品番がない部品（コンポーネント）のノーマルアイコンである。
【００４６】
図３（ｄ）のアイコンＩ１０は、トップアッシーには変更がなく、トップアッシーの下の階層にある部品の品番において、変更があった場合の、アイコンであり、図３（ａ）の画像上に、青色のレ点（チェック）が表示されるアイコンである。
【００４７】
図４（ａ）〜（ｃ）は、該アイコンが付与された品番自身に関して変更があった品番変更済アイコンを示し、図３（ａ）〜（ｃ）の表示画像と識別可能に、識別画像（本実施形態ではレ点）が付与されている。又、識別画像には、本実施形態では、例えば赤色が付与されている。図４（ａ）のアイコンＩ４は、トップアッシー（ＴＯＰＡＳＳＹ）の品番変更済アイコンである。図４（ｂ）のアイコンＩ５は、トップアッシーではないアッシーであって、下位に該アッシーを構成する部品の品番がある品番変更済アイコンである。図４（ｃ）のアイコンＩ６は、下位に構成する部品の品番がない部品（コンポーネント）の品番変更済アイコンである。
【００４８】
図５（ａ）〜（ｃ）は、要変更アイコンを示し、図３（ａ）〜（ｃ）の表示画像に対して、枠で囲むようにしたアイコンにて構成されている。この枠は、着色されていることが好ましい。本実施形態では、赤色の枠とされている。図５（ａ）のアイコンＩ７は、トップアッシー（ＴＯＰＡＳＳＹ）の要変更アイコンである。図５（ｂ）のアイコンＩ８は、トップアッシーではないアッシーであって、下位に該アッシーを構成する部品の品番がある要変更アイコンである。図５（ｃ）のアイコンＩ９は、下位に構成する部品の品番がない部品（コンポーネント）の要変更アイコンである。
【００４９】
図６（ａ）〜（ｃ）は、該アイコンが付与された品番自身に関しては変更がない変更、例えば、属性等の変更があった場合に付される変更済アイコンを示している。このアイコンは、図４（ａ）〜（ｃ）の各品番変更済アイコンと識別できるように識別画像が異なる色で着色されている（本実施形態ではレ点）。又、識別画像に付与される色は本実施形態では、例えば緑色が付与されている。
【００５０】
図６（ａ）のアイコンＩ１１は、トップアッシー（ＴＯＰＡＳＳＹ）の変更済アイコンである。図６（ｂ）のアイコンＩ１２は、トップアッシーではないアッシーであって、下位に該アッシーを構成する部品の品番がある変更済アイコンである。図６（ｃ）のアイコンＩ１３は、下位に構成する部品の品番がない部品（コンポーネント）の変更済アイコンである。
【００５１】
アイコンＩ１〜Ｉ１３の表示は、部品情報ＰＮと部品構成情報ＰＳの各主ステイタスと副ステイタスとを基準にして、予め設定された規則に基づいて設定される。そして、部品情報ＰＮの各ステイタスと部品構成情報ＰＳから設定されるステイタスが競合する場合には、下記のように優先順位が設定されており、優先順位の高い方が各システムのＣＰＵに選択されてディスプレイ２０２等に表示される。
【００５２】
（アイコン優先順位）
（Ｉ４，Ｉ５，Ｉ６）＞（Ｉ７，Ｉ８，Ｉ９）＞（Ｉ１１，Ｉ１２，Ｉ１３）＞（Ｉ１，Ｉ２，Ｉ３，Ｉ１０）
（作用）
次に、拡張ＰＤＭシステム１０の作用について説明する。図７は、拡張ＰＤＭシステム１０のＰＤＭ設変システム２００の操作フローチャートを示している。又、図８〜図２５、及び図３０は、ＰＤＭ設変システム２００のディスプレイ２０２に映し出される表示画面を示している。なお、表示画像を変更する際に、説明がされている場合以外は、説明の便宜上、図示や詳細な説明を省略するが、ディスプレイ２０２の表示画面を切り換えるための操作を、マウス２０４又はキーボード２０３にて操作者は行っているものとする。
【００５３】
（Ｓ１０：設変Ｎｏ（設変番号）取得）
まず、Ｓ１０において、ＰＤＭ設変システム２００のＰＤＭ設変プログラムを起動すると、ディスプレイ２０２の表示画面に初期メニューが表示される。なお、前記ＰＤＭ設変プログラムは、ＰＤＭ設変システム２００が備えているＲＯＭ（図示しない）に予め格納されている。ＣＰＵ２０１は、該プログラムに基づいてディスプレイ２０２上の各種ボタン等の押圧操作に応じて、各種データの入出力を行うとともに、下記の各種表示制御を行う。
【００５４】
前記初期メニューは、図８に示すように設変Ｎｏ取得ボタン２０、設変処理ボタン３０、印刷・回覧ボタン１５、設変承認ボタン５０、設変Ｎｏ台帳ボタン６０、ＰＤＭ検索ボタン７０及び終了ボタン８０を備えている。これらのボタンは、ポインタにて指定された状態で、マウス２０４の左ボタン２０４Ｌがクリック操作されることにより、該ポインタにて指定されているボタンに応じた指示がＰＤＭ設変システム２００に入力される。なお、上記表示画面上のボタン操作や後述する表示画面上での各種ボタンに対する、マウス２０４の左ボタン２０４Ｌによるクリック操作を、説明の便宜上、単に押下する、又は押下されるという。
【００５５】
（Ｓ２０：設変Ｎｏの取得）
次に、Ｓ２０において、設変Ｎｏ取得ボタン２０が押下されると、ＰＤＭ設変システム２００のＣＰＵ２０１は、ディスプレイ２０２の表示画面に対して図９に示すように「設変指令書Ｎｏ台帳」の画像の表示を行う。設変指令書Ｎｏ台帳の表示領域には、設変Ｎｏ入力欄２１、担当設計入力欄（担当設計部署入力欄）２２ａ、担当者名入力欄２２ｂ、登録日入力欄２３、登録ボタン２４、キャンセルボタン２５が表示される。各入力欄に対して、操作者がキーボード２０３により、設変Ｎｏ、担当者名、及び登録日を入力し、登録ボタン２４を押下すると、ＣＰＵ２０１は、設変Ｎｏ、担当者名、及び登録日を取得して、ハードディスク２０５に格納し、図８の初期メニューを表示する。
【００５６】
（Ｓ３０：設変対象ツリーの処理）
次に、Ｓ３０の設変対象ツリーの取得のための操作を操作者は行う。具体的には、図８の初期メニューにおいて、設変処理ボタン３０を押下する。ＣＰＵ２０１は、設変処理ボタン３０の押下に応じた指令に基づいてディスプレイ２０２の表示画面に対して図１０に示すように「設変Ｎｏ選択」の画像を表示する。
【００５７】
「設変Ｎｏ選択」の画像は、選択設変Ｎｏ入力欄３１、設変Ｎｏ表示欄３２、設変開始ボタン３３、及び戻りボタン３４を備えている。ＣＰＵ２０１は、設変Ｎｏ表示欄３２にＳ１０で取得した設変Ｎｏを表示する。なお、図１０では、ハードディスク２０５内に記憶していた複数の設変Ｎｏ、担当者名（図面では、作成者欄に表示）が表示されている。操作者は、キーボード２０３を使用して、選択設変Ｎｏ入力欄３１に設変Ｎｏを入力する。そして、操作者が設変開始ボタン３３を押下すると、ＣＰＵ２０１は、選択設変Ｎｏ入力欄３１に入力された設変Ｎｏを、ＲＡＭに一旦格納するとともに、図１１に示すＰＤＭ設変対象品番検索の画像をディスプレイ２０２の表示画面に表示する。
【００５８】
以後、選択した１つの設変Ｎｏに対応して、少なくとも１つ、又は２つ以上の複数の設変処理を行うことができる。
図１１のＰＤＭ設変対象品番検索の画像は、品番入力欄３５と、検索ボタン３６を備える。操作者は、品番入力欄３５にキーボード２０３にて設変したい設変対象品番を入力し、検索ボタン３６を押下する。ＣＰＵ２０１は、品番入力欄３５に入力された品番をＰＤＭ本体システム１００に出力し、ＰＤＭ本体システム１００からの応答を待つ。キーボード２０３は設変対象品番入力手段に相当する。
【００５９】
ＰＤＭ本体システム１００のＣＰＵ１０１は、入力した設変対象品番を前記ＰＤＭデータベースＤから検索し、該設変対象品番を含む部品の品番に関する部品品目情報（部品情報ＰＮと、部品構成情報ＰＳを含む）及び該品番と親子関係にある部品の部品情報ＰＮ，部品構成情報ＰＳをＰＤＭ設変システム２００に出力する。このように、入力した設変対象品番を前記ＰＤＭデータベースＤから検索し、検索結果として、ＰＤＭ設変システム２００に出力された情報は、互いに関連付けがされたデータベースであり、以後このデータベースを仮データベースという。
【００６０】
ＰＤＭ設変システム２００のＣＰＵ２０１は、ＰＤＭ本体システム１００から入力した該設変対象品番を含む部品の品番に関する部品品目情報Ｄ２（部品情報ＰＮと、部品構成情報ＰＳを含む）を、ハードディスク２０５に格納する。又、ＣＰＵ２０１は、図１２に示すように、前記ＰＤＭデータベースＤから検索して取得した設変対象品番を含む親子関係の全ての部品の品番（ここでは、説明の便宜上、アッシー品番という）をディスプレイ２０２のアッシー一覧表の画像に表示する。
【００６１】
アッシー一覧表の画像は、アッシー一覧表示領域３７、選択アッシー入欄３８、出図案内リストボタン３９を備えている。又、アッシー一覧表の画像には、ツールバー部分にツリー表示コマンドをＣＰＵ２０１に付与するツリー表示ボタン４０が設けられている。
【００６２】
なお、図１２〜１４，図１６〜１９、図２２〜２３、図２５〜３０においては、アイコンの表示が小さくなるため、説明の便宜上、アイコンの代わりにアイコンに対応するＩ１〜Ｉ１３（符号）を付して図示している。従って、Ｉ１〜Ｉ１３のいずれかが、前記図に示されている場合、実際には前述した図３〜図６で示すアイコンＩ１〜Ｉ１３を表示しているものと理解されたい。なお、以後の説明では、詳説しないがアッシー一覧表示領域３７を始め、後述する各表示領域の各部品に関する表示は、ＰＤＭデータベースＤからＣＰＵ２０１が取得した各種情報に基づいて行われる。
【００６３】
操作者は、図１２において、アッシー一覧表示領域３７に表示されているアッシー品番の中から設変するアッシー品番をポインタにて指し示し、この状態でマウス２０４の左ボタン２０４Ｌをクリックすることにより、選択する。続いて、ツリー表示ボタン４０を押下すると、ＣＰＵ２０１は、ディスプレイ２０２の画面を図１３で示すツリー操作画像を表示する。
【００６４】
ツリー操作画像は、左側に示されるツリー表示領域４１と、右側に示されるリスト表示領域４２を備えている。ツリー表示領域４１は、部品構成のツリー（構成ツリー）が表示される領域であり、「＋」の部分をポインタを当てた状態でマウス２０４の左ボタン２０４Ｌをクリックすると、それ以下の下位階層部分に位置する部品のツリーが表示されて、「＋」部分は、「−」表示に変わる。従って、「−」は、下位階層のツリー表示がされていることを示している。又、「−」の部分をポインタを当てた状態でマウス２０４の左ボタン２０４Ｌをクリックすると、再び、「＋」に変わり、それ以下の下位階層部分に位置する部品の表示が消滅してツリー表示が解消される。
【００６５】
リスト表示領域４２は、部品リストに相当し、ツリー表示領域４１に表示された部品と連動するようにリストアップして表示する。又、リスト表示領域４２には、品番に対する属性値を示す欄も設けられている。図１３では、品番に対応して、属性値として品名が表示されている。又、リスト表示領域４２において、Ｎｏ欄４３は、上位階層からの単純な順番を示し、ＬＶＬ欄（レベル欄）４４は、トップアッシーからの階層レベルを示している。図１３に示す例では、ＬＶＬの「１」〜「５」までが、示されている。ＬＶＬ（レベル）は、当該品番からトップアッシーまでのそれぞれ品番の親子関係を示す部品構成情報ＰＳに基づいて算出される。又、図１３に示す例では、品番「ＥＥＥ０１」は、ツリー表示領域４１では示されていないが、品番「ＤＤＤ０１」の下位階層に位置し、リスト表示領域４２で表示されている。
【００６６】
（Ｓ４０：設変処理の実施）
次に、Ｓ４０では、設変処理の実施を行う。具体的には、操作者は、先ず、図１３のツリー操作画像が表示されている状態で、ツリー表示領域４１に位置する品番であって、設変処理を行いたい品番（設変対象品番）をポインタを当ててマウス２０４の左ボタン２０４Ｌをクリックする。すると、ＣＰＵ２０１は、その品番が選択されたものとしてアクティブにする。
【００６７】
図１３の例では、品番「ＣＣＣ０１−ＰＡ００２−Ａ−１」をアクティブにしたものとする。品番をアクティブにした状態で、マウス２０４の右ボタン２０４Ｒをクリックすると、ＣＰＵ２０１は、図１４に示す設変メニュー５１の表示画像をディスプレイ２０２に表示する。設変メニュー５１は、設変処理項目メニューに相当する。設変メニュー５１は、設変処理項目としてマイナー設変ボタン５１ａ、メジャー設変ボタン５１ｂ、使用追加ボタン５１ｃ、使用廃止ボタン５１ｄ、新設ボタン５１ｅ、数量変更ボタン５１ｆ、属性変更ボタン５１ｇ及び設変プロパティボタン５１ｈを備えている。
【００６８】
なお、ここで、本実施形態における品番のルールについて説明する。品番「ＣＣＣ０１−ＰＡ００２−Ａ−１」のうち、「Ａ−１」」よりも前の部分、この例では、「ＣＣＣ０１−ＰＡ００２」がコアの部分であり、部品毎に予め決められた所定の品番表等に基づいて設定される。「Ａ−１」のうち、「Ａ」の部分は、メジャー記号Ａ〜Ｚが付与されるところであり、メジャー設変がある毎にＡ〜Ｚの順に変更される。同部分はメジャー設変の履歴を示す。又、末位（本実施形態では、「Ａ−１」の末位の「１」部分）は、マイナー記号１〜９が付与される部分であり、マイナー設変の場合に昇順に変更される。「Ａ−１」の部分中、「Ａ」が記載される桁，及び「１」が記載される桁は、それぞれ、設変履歴、すなわち、図面の履歴を表している位置である。又、それらの符号は、設変履歴符号に相当する。このことにより、後述する多品一葉図面の設変履歴を容易に知ることができる。
【００６９】
１）  マイナー設変
マイナー設変の例を図１４〜図１６を参照して説明する。マイナー設変は、設変前と設変後の部品に互換性がある場合になされる。
【００７０】
上記のように設変対象品番をアクティブにした状態で、設変メニュー５１を表示し、設変メニュー５１中の、マイナー設変ボタン５１ａを押下する（図１４参照）。ＣＰＵ２０１は、マイナー設変ボタン５１ａに対する押下、すなわち、マウスの左ボタンのクリックによる指令信号に応じて、ディスプレイ２０２上に、図１５に示すように、マイナー設変後の品番表示画像を表示する。図１５に示すマイナー設変後の品番表示画像は、マイナー設変後の品番の表示領域５２、ＯＫボタン５３、及びキャンセルボタン５４を備えている。
【００７１】
操作者が、ＯＫボタン５３を押下すると、ＣＰＵ２０１は、下記の処理を行う。
（ａ）設変対象品番に関する部品情報ＰＮと部品構成情報ＰＳの、品番をマイナー設変するように、書き換える。具体的には、品番中のマイナー記号を１加算する。
【００７２】
（ｂ）設変対象品番に関する部品情報ＰＮに含まれるアイコン表示情報のアイコンのコードを、アイコンＩ２からアイコンＩ５に変更する。
（ｃ）最上位階層の品番の部品情報ＰＮに含まれるアイコンのコードを、アイコンＩ１からアイコンＩ１０に変更する。
【００７３】
（ｄ）設変対象品番に関係する部品情報ＰＮに、Ｓ２０で取得した設変番号（登録時）を含ませる。
（ｅ）設変対象品番に関する部品情報ＰＮの設変中ロックフラグをセットする。
【００７４】
そして、ＣＰＵ２０１は上記処理に基づいて、ディスプレイ２０２に設変対象品番のアイコンＩ５（図４（ｂ）参照）を表示するとともに、最上位階層の品番のアイコンＩ１０（図３（ｄ）参照）を表示する。すなわち、設変対象品番のアイコンは、赤色の識別画像であるレ点を備えた変更済アイコンに変更され、最上位階層の品番のアイコンは、ツリー形式で表された構成内に、設変があったことを知らせる青色の識別画像であるレ点を備えた変更済アイコンに変更される（図１６参照）。
【００７５】
２）  メジャー設変
メジャー設変の例を図１３、図１７、図１８を参照して説明する。
本実施形態では、メジャー設変は、図１３において、「ＦＦＦ０１−ＨＧ００２−Ａ−１」を設変対象品番として説明するとともに、説明の便宜上、前記マイナー設変に続けて、メジャー設変を、設変Ｎｏ１２３４５で行うものとする。
【００７６】
設変対象品番をアクティブにした状態で、設変メニュー５１を表示し、設変メニュー５１中の、メジャー設変ボタン５１ｂを押下する。
ＣＰＵ２０１は、メジャー設変ボタン５１ｂに対する押下、すなわち、マウスの左ボタンのクリックによる指令信号に応じて、設変対象品番をＰＤＭ本体システム１００に出力し、ＰＤＭ本体システム１００からの応答を待つ。ＰＤＭ本体システム１００のＣＰＵ１０１は、入力した設変対象品番を前記ＰＤＭデータベースＤから検索し、該設変対象品番を含むアッシーの品番に関する部品品目情報（部品情報ＰＮと、部品構成情報ＰＳを含む）をＰＤＭ設変システム２００に出力する。ＰＤＭ設変システム２００のＣＰＵ２０１は、ＰＤＭ本体システム１００から入力した該設変対象品番を含むアッシーの品番に関する部品品目情報（部品情報ＰＮと、部品構成情報ＰＳを含む）を、ハードディスク２０５に格納する。
【００７７】
又、ＣＰＵ２０１は、図１７に示すように、前記ＰＤＭデータベースＤから検索して取得した設変対象品番を含む全てのアッシーの品番（アッシー品番）をディスプレイ２０２のアッシー一覧表の画像に表示する。アッシー一覧表の画像は、設変対象のアッシーを表示するアッシー品番欄４５、変更前の品番を表示する変更前品番表示欄４６、変更後の品番を表示する変更後品番表示欄４７を備えている。
【００７８】
ここで、図１７に示す設変対象のアッシー品番欄４５（図１７では、ＡＳＳＹ品番で図示）の中から、操作者が、ポインタにて設変対象のアッシー品番を選択し、マウス２０４の左ボタン２０４Ｌをクリックすると、ＣＰＵ２０１は、選択されたアッシーの中から、該当する設変対象品番等を書き換える。
【００７９】
具体的には、下記の処理を行う。
（ａ）設変対象品番に関係する部品情報ＰＮと部品構成情報ＰＳの、品番をメジャー設変するように、書き換える。具体的には、品番中のメジャー記号を変更する。
【００８０】
（ｂ）設変対象品番（図１８の例では、「ＦＦＦ０１−ＨＧ００２−Ｂ−１」）の部品情報ＰＮに含まれるアイコンのコードを、アイコンＩ３からアイコンＩ６に変更する。
（ｃ）最上位階層の品番（図１８の例では、「ＡＡＡ０１−ＮＡ００１−Ａ」）の部品情報ＰＮに含まれるアイコンのコードを、アイコンＩ１からアイコンＩ１０に変更する。
【００８１】
（ｄ）直上位階層の品番の部品情報ＰＮに含まれるアイコンのコードを、アイコンＩ２からアイコンＩ８に変更する。
（ｅ）設変対象品番に関係する部品情報ＰＮに、Ｓ２０で取得した設変番号（登録時）を含ませる。
【００８２】
そして、ＣＰＵ２０１は上記処理に基づいて、ディスプレイ２０２に設変対象品番のアイコンＩ６（図４（ｃ）参照）を表示し、直上位階層の品番のアイコンＩ８（図５（ｂ）参照）を表示する。この場合、直上位階層の品番の後に「（仮）」も表示する。さらに、ＣＰＵ２０１は、最上位階層の品番のアイコンＩ１０（図３（ｄ）参照）を表示する。すなわち、設変対象品番のアイコンは、赤色の識別画像であるレ点を備えた変更済アイコンに変更され、最上位階層の品番のアイコンは、ツリー形式で表された構成内に、設変があったことを知らせる青色の識別画像であるレ点を備えた変更済アイコンに変更される。又、直上位階層の品番は、要変更アイコンであるアイコンＩ８が表示されることにより、ＰＤＭ本体システム１００において、設変が必要なことを促す。さらに、又、直上位階層の品番の後に「（仮）」が表示されることによっても、ＰＤＭ本体システム１００において、設変が必要なことを促す（図１８参照）。
【００８３】
このようにして、Ｓ４０にて得られた各種データに基づいて、ＰＤＭ本体システム１００から検索して読み出した仮データベースを書き換える。
（Ｓ５０：出図案内リスト作成）
次に、出図案内リスト作成について説明する。Ｓ５０は、出図する図面の種類や、図面の枚数及び多品一葉図面の情報を入力する処理である。この出図案内リスト作成のときは、例えば、ツリー操作画像が現れている画面において、ディスプレイ２０２の画面上の図示しない「メニュー」の「ファイル−閉じる」を選択（押下）する。すると、ＣＰＵ２０１は、図１９に示すようにディスプレイ２０２のアッシー一覧表の画像を表示する。
【００８４】
図１９では、説明の便宜上、設変Ｎｏを、「５５５５５」とし、同図に示す各アッシー品番（ＡＳＳＹ品番）は、設変数の欄３７ａに示す数に相当する設変が行われたものとする。なお、設変数は、Ｓ４０で設変が行われる毎にカウントされ、該カウントの累積値としてトップアッシーの品番に関する部品情報ＰＮを構成するデータの１つであり、トップアッシー以下の品番で行われた設変の個数（設変数）である。そして、この設変数が、部品情報ＰＮに基づいて設変数の欄３７ａに表示される。
【００８５】
図１９のように表示された状態で、出図案内リストボタン３９を押下すると、ＣＰＵ２０１は、図２０に示す出図案内リスト作成画像をディスプレイ２０２に表示する。出図案内リスト作成画像は、図２０に示すように、設変対象品番表示領域９０、選択後設変対象品番表示領域９１、代表品番表示領域９２、図品番セットボタン９３、枝品番セットボタン９４、解除ボタン９５、データ種別入力欄９６、枚数入力欄９７、変更ボタン９８、閉じるボタン９９等を備える。図品番セットボタン９３、枝品番セットボタン９４、マウス２０４は、選択手段に相当する。
【００８６】
設変対象品番表示領域９０は、出図案内リストボタン３９を押下する直前迄に、共通の設変Ｎｏの下で設変が行われた設変対象品番等を表示する領域である。該領域には、品番表示領域９０ａと設変内容表示領域９０ｂとを有する。ＣＰＵ２０１は、出図案内リストボタン３９の押下に応じて、前記共通の設変Ｎｏの下で行われた設変対象品番を、部品情報ＰＮの設変番号（登録時）に基づいて設変対象品番表示領域９０の品番表示領域９０ａにリストアップして表示する。
【００８７】
又、ＣＰＵ２０１は、設変内容表示領域９０ｂに、前記部品情報ＰＮの副ステイタスに基づき、前記設変対象品番の設変内容を品番表示領域９０ａにリストアップされた各設変対象品番に対応して表示する。
【００８８】
図２０に示すように、操作者が、リストアップされた設変対象品番のうち、出図案内リストを作成したい設変対象品番をポインタで選択し、図品番セットボタン９３を押下すると、ＣＰＵ２０１は、選択後設変対象品番表示領域９１に前記選択された設変対象品番を移動して表示する（図２１参照）。
【００８９】
選択後設変対象品番表示領域９１は、品番表示領域９１ａ、データ種別表示領域９１ｂ，枚数表示領域９１ｃ，設変内容表示領域９１ｄとを有する。
品番表示領域９１ａには、品番表示領域９０ａから移動した品番が表示される。データ種別表示領域９１ｂには、データ種別が表示される。枚数表示領域９１ｃには、出図する際の枚数が表示される。設変内容表示領域９１ｄは、品番表示領域９１ａに表示された設変内容が表示される。
【００９０】
（多品一葉図面以外の場合）
図２１の状態で、多品一葉図以外の場合は、さらに、同様に、設変対象品番表示領域９０から、各設変対象品番をそれぞれ選択して、図品番セットボタン９３を押下すると、ＣＰＵ２０１は、図示はしないが、全ての設変対象品番を選択後設変対象品番表示領域９１に移動させる。この場合は、品番表示領域９１ａに表示された設変対象品番は、後述する多品一葉図となる場合と相違し、該品番の左端の位置は、互いに同じ位置となる。
【００９１】
ここで、ポインタを品番表示領域９１ａに表示された設変対象品番のデータ種別表示領域９１ｂは、デフォルトは、キャド（ＣＡＤ）とされる。しかし、他のデータに変更したい場合は、キーボード２０３等により例えばデータ種別入力欄９６に「図面」と入力し、変更ボタン９８を押下すると、ＣＰＵ２０１はデータ種別表示領域９１ｂの表示を「図面」に変更する。
【００９２】
又、ポインタを品番表示領域９１ａに表示された設変対象品番の枚数表示領域９１ｃは、デフォルトは、「１」とされる。しかし、数値を変更したい場合は、キーボード２０３等により枚数入力欄９７に２以上の数値を入力し、変更ボタン９８を押下すると、ＣＰＵ２０１は枚数表示領域９１ｃの表示を枚数入力欄９７に入力した数値に表示変更する。
【００９３】
（多品一葉図面の場合）
ここで、多品一葉図面を説明する。例えば、長尺状の部品の場合、長さだけが異なり、長さ以外の他の構成部分は、同じのものがある場合、一様の図面（設計図面）にて長さ以外の互いに同じ構成部分を図面化し、長さに関してだけは、数値等により記述して、異なる部品（多品）が一葉の図面にされている場合がある。このように、異なる部分があっても、同じ構成を有している場合、同じ構成は図面化して、異なる部分のみを数値等により記述して一葉の図面に複数の部品（多品）が記述されている図面を多品一葉図面（又は多品一葉図）という。
【００９４】
多品一葉図面の場合は、図２１の状態において、品番をポインタにて選択し、マウス２０４の左ボタン２０４Ｌにてクリックする。この場合に選択された品番を、「代表品番」と称する。このようにして代表品番が選択されると、選択された品番に関する部品情報ＰＮの代表品番の記録領域に記録される。ＣＰＵ２０１は、上記のように、代表品番が選択されると、当該代表品番を代表品番表示領域９２に表示する（図２２参照）。
【００９５】
続いて、操作者が、設変対象品番表示領域９０にある設変対象品番（多品一葉図面に関する説明中では、以下、枝品番という）をポインタにて選択し、枝品番セットボタン９４を押下する。この押下に応じて、ＣＰＵ２０１は、選択された枝品番を選択後設変対象品番表示領域９１に移動させる。この場合、品番表示領域９１ａに表示された設変対象品番は、多品一葉図となるため、枝品番の左端は、代表品番よりも若干右へずれた位置となるように表示される（本実施形態では、３列（３文字）下がった位置）。なお、この実施形態では、枝品番は代表品番よりも数列下がった位置としているが、１列下がった位置であってもよい。
【００９６】
図２３は、図２２において、品番表示領域９０ａにあった設変対象品番（枝品番）を全て選択後、選択後設変対象品番表示領域９１に移動したときを表示している。なお、選択後設変対象品番表示領域９１に移動した枝品番においても、データ種別、枚数は、上述した代表品番のときと同様に、変更が可能である。
【００９７】
図２３に示すように設変対象品番表示領域９０に品番がなくなった後、閉じボタン９９を押下すると、ＣＰＵ２０１は、Ｓ５０で設定したデータが互いに関連付けされてリレーショナルデータベースとしてハードディスク２０５に保存される。このリレーショナルデータベースは、前記仮データベースとともに関連付けがされる。
【００９８】
リレーショナルデータベースとしては、出図リストファイル、出図リストリレーションファイル、指令書リレーションファイルを有する。
（１）  品番毎に作成される出図リストファイルには、前述した「図品番」、「データ種別」、「枚数」、「出図状況」、「多品一葉識別」等を含むデータにて構成されている。ここで、図品番とは、多品一葉図面の場合は、代表図面（代表品番表示領域９２に入力された品番）であり、多品一葉図面以外の場合は、品番（品番表示領域９１ａに表示された設変対象品番）である。出図状況は、出図が既に出ているのか、後日でるのかを示すデータである。
【００９９】
（２）  出図リストリレーションファイルは、「図品番」、「枝品番」、「設変有無」のデータにて構成されている。ここでの「枝品番」は、例えば図２２において、品番表示領域９０ａにあった設変対象品番（枝品番）が選択された後、選択後設変対象品番表示領域９１に移動した品番が記述される。「設変有無」は、今回設変処理しているか否かを識別するためのコードである。出図リストリレーションファイルは、多品一葉図面を管理するために使用されるファイルである。
【０１００】
（３）  指令書リレーションファイルは、マイナー設変又はメジャー設変された品番、上記設変のあつたトップアッシーの品番等のデータにて構築されている。
（Ｓ６０：印刷・回覧）
Ｓ６０では、図８の初期メニューに戻り、印刷・回覧ボタン１５を押下する。図２６は、ＣＰＵ２０１が実行する印刷・回覧処理のフローチャートである。ＣＰＵ２０１は、この操作に応じて、図２４に示すように、印刷回覧設変Ｎｏ選択画像をディスプレイ２０２に表示する（Ｓ１００）。
【０１０１】
印刷回覧設変Ｎｏ選択画像は、選択設変Ｎｏ表示欄１１０、設変Ｎｏ表示領域１２０、印刷・回覧開始ボタン１２２、戻るボタン１２４等を有する。
設変Ｎｏ表示領域１２０は、設変Ｎｏ欄１２０ａ，作成者欄１２０ｂ、状態欄１２０ｃを有する。設変Ｎｏ欄１２０ａは、ハードディスク２０５に格納されるとともに、「状態」が回覧中、又は設変中の設変Ｎｏを表示する欄である。
【０１０２】
作成者欄１２０ｂは設変Ｎｏの関する設変処理を行う担当者名が表示される。状態欄１２０ｃは、現在回覧中か、設変中の状態を示す欄である。この状態欄１２０ｃは、ハードディスク２０５に格納した、前記設変指令書Ｎｏ台帳に基づいて表示される。すなわち、ある設変Ｎｏの元で、前述したＳ４０において、設変がされているときは、該当するその設変Ｎｏが設変中である旨の記録をハードディスク２０５に格納した設変指令書Ｎｏ台帳に対してＣＰＵ２０１は行い、この記録データに基づいて「設変中」の表示をディスプレイ２０２に行わせる。
【０１０３】
なお、「回覧中」の表示については後述する。
続いて、状態欄１２０ｃが「設変中」となっている設変Ｎｏがポインタで選択されると、選択設変Ｎｏ表示欄１１０に、選択された設変Ｎｏが表示される。この状態で、印刷・回覧開始ボタン１２２が押下されると（Ｓ１１０）、ＣＰＵ２０１は「設変中」の表示から「回覧中」の表示に切り換えるとともに、回覧中である旨の記録を設変指令書Ｎｏ台帳に対して行う。又、ＣＰＵ２０１は、指令書・部品表印刷ボタン（図示しない）をディスプレイ２０２に表示する（Ｓ１２０）。操作者は、この指令書・部品表印刷ボタンを押下すると（Ｓ１３０）、Ｓ１４０において、ＣＰＵ２０１は、前記選択された設変Ｎｏを特定して、該設変Ｎｏの下で行われた設変の内容の印刷指令をプリンタ２０６に出力する。すると、プリンタ２０６は部品表、指令書及び出図案内リストを、前述したように書き換えした仮データベースに基づいて、印刷媒体としての紙に印刷する。
【０１０４】
図２７は、印刷された指令書の例を示し、各種データが表形式で印刷されている。指令書とは、特定の設変Ｎｏの下で行われた設変の内容を、当該品番に関係する部署に知らせるめたの書類である。
【０１０５】
指令書は、表題欄２４０と、設変処理がされた品番等を表す複数の設変品番表示欄２５０とを備える。表題欄２４０中の製品名欄２４２の内容は、マイナー設変又はメジャー設変があったかを指令書リレーションファイルに基づき、まずトップアッシーの品番が求められ、該トップアッシーの部品情報ＰＮの品名から得られる。
【０１０６】
設変Ｎｏ欄２４４の内容は、当該印刷を行うときに選択設変Ｎｏ表示欄１１０（図２４参照）に表示された設変Ｎｏから得られる。担当設計欄２４６の内容は、設変指令書Ｎｏ台帳の担当設計入力欄（担当設計部署入力欄）２２ａに入力されたデータから得られる。
【０１０７】
設変品番表示欄２５０中のＬＶＬ（レベル）の新欄２５１の内容は、当該品番からトップアッシーまでのそれぞれ品番の親子関係を示す部品構成情報ＰＳの「親品番」、「子品番」に基づいて得られる。又、ＬＶＬ（レベル）の旧欄２５２の内容は、当該品番からトップアッシーまでのそれぞれ品番の親子関係を示す部品構成情報ＰＳの「親品番」、「子品番」及び「副ステイタス」に基づいて得られる。
【０１０８】
設変品番表示欄２５０中の旧品番欄２５３の内容は、部品情報ＰＮの来歴品番から得られる。設変品番表示欄２５０中の新品番欄２５４の内容は、設変が行われた後の部品情報ＰＮの品番から得られる。
【０１０９】
品名欄２５７の内容は、当該品番の部品情報ＰＮの品名から得られる。設変事項２５５の内容は、部品情報ＰＮの副ステイタスから得られる。出図欄２５６の内容は、前記出図リストファイルの出図状況から得られる。
【０１１０】
図２８は、印刷された部品表の例を示し、各種データが表形式で印刷されている。部品表は、表題欄３４０と、品番等を表す複数の品番表示欄３５０とを備える。表題欄３４０中の製品名欄３４２の内容は、トップアッシーの品番の部品情報ＰＮから得られる。トップアッシー品番欄３４４は、トップアッシーの品番の部品情報ＰＮの品番から得られる。
【０１１１】
品番表示欄３５０中の変更欄３５１の内容は、品番の部品情報ＰＮの「副ステイタス」に基づいて得られ、設変があった品番のみ変更があった旨の印が記される。ＬＶＬ（レベル）欄３５２の内容は、当該品番からトップアッシーまでのそれぞれ品番の親子関係を示す部品構成情報ＰＳの「親品番」、「子品番」に基づいて得られる。品番表示欄３５０中の品番欄３５３の内容は、部品情報ＰＮの品番から得られる。
【０１１２】
品名欄３５４の内容は、当該品番の部品情報ＰＮの品名から得られる。数量欄３５５の内容は、当該品番を子品番としたときの、親品番との関係を表す部品構成情報ＰＳの数量から得られる。単位欄３５６の内容は、同じく部品構成情報ＰＳの単位から得られる。
【０１１３】
図２９は出図案内（配布）リストの例を示し、各種データが表形式で印刷されている。出図案内リストは表題欄４４０と、リストアップされた物を挙げるためのリストアップ欄４５０とを備えている。
【０１１４】
設変Ｎｏ欄４４６の内容は、当該印刷を行うときに選択設変Ｎｏ表示欄１１０（図２４参照）に表示された設変Ｎｏから得られる。表題欄４４０中の製品名欄４４２の内容は、前記設変Ｎｏの下で更新された、トップアッシーの品番の部品情報ＰＮから得られる。担当設計欄４４４の内容は、設変指令書Ｎｏ台帳の担当設計入力欄（担当設計部署入力欄）２２ａに入力されたデータから得られる。
【０１１５】
リストアップ欄４５０中の物品名欄４５１の内容は、設変指令書及び部品表についてはその旨が印刷される。又、リストアップ欄４５０中の物品名欄４５１の内容は、品番については、多品一葉図面ではない場合、出図リストファイルに基づいて得られ、多品一葉図面に関しては、出図リストファイル及び出図リストリレーションファイルに基づいて得られる。
【０１１６】
図２９では、多品一葉図面の場合を示しており、代表品番（図の例では、「ＡＡＡ０１−ＢＣ００２−Ａ−２」）と、枝品番（図の例では、「ＡＡＡ０２−ＢＣ００３−Ａ−２」）とが併記されたものである。この例に示すように、代表品番、枝品番とも、設変履歴符号としてそれぞれ「Ａ−２」が付されており、設変履歴が分かるようにされている。
【０１１７】
リストアップ欄４５０中のデータ種別欄４５２の内容は、設変指令書及び部品表については、エクセルで在る旨が印刷される。又、リストアップ欄４５０中のデータ種別欄４５２の内容は、品番に関しては、出図リストファイルのデータ種別に基づいて得られる。
【０１１８】
リストアップ欄４５０中の紙枚数欄４５３の内容（数値）は、設変指令書及び部品表については、印刷するデータ量に応じて算出することにより得られる。又、リストアップ欄４５０中の紙枚数欄４５３の内容（数値）は、品番に関しては、出図リストファイルの「枚数」に基づいて得られる。
【０１１９】
リストアップ欄４５０中の配布先欄４５４は、配布先毎に欄が設けられている。そして、設変対象品番と設変対象品番によって影響を受ける配布先とが関連付けられたデータファイルが、ハードディスク２０５に記憶されており、該データファイルに基づいて出図案内リストの印刷時に、物品名欄４５１に挙げられた品番（設変対象品番）と対応する配布先欄（部署）欄に「○印」が記される。物品名欄４５１に挙げられた物の部数の合計数（合計部数）は、前記「○印」が付される数と対応するように、ＣＰＵ２０１にて算出され、その算出結果がリストアップ欄４５０中の合計部数欄４５５に記される。
【０１２０】
（Ｓ７０：承認）
Ｓ７０では、操作者又は担当者は、前記出図案内リストに従って、各配布先に、出図案内リストに挙げた物を配布し、関係各部署、或いは責任担当者等から承認を受ける。
【０１２１】
（Ｓ８０：設変承認）
設変承認処理を行う場合は、操作者は、図８に示す設変承認ボタン５０を押下する。ＣＰＵ２０１は、この押下に応じて図３０の承認設変Ｎｏ選択画像をディスプレイ２０２に表示する。
【０１２２】
承認設変Ｎｏ選択画像は、選択設変Ｎｏ表示欄３１０、及び設変Ｎｏ表示領域３２０、承認開始ボタン３２２、戻るボタン３２４等を有する。選択設変Ｎｏ表示欄３１０、設変Ｎｏ表示領域３２０、設変Ｎｏ欄３２０ａ，作成者欄３２０ｂ、状態欄３２０ｃ、戻るボタン３２４は、選択設変Ｎｏ表示欄１１０、設変Ｎｏ表示領域１２０、設変Ｎｏ欄１２０ａ、作成者欄１２０ｂ、状態欄１２０ｃ及び戻るボタン１２４とそれぞれ同様であるので、説明を省略する。
【０１２３】
図３０の承認設変Ｎｏ選択画像が表示された場合、設変承認する設変Ｎｏをポインタにて選択する。設変Ｎｏがポインタで選択されると、選択設変Ｎｏ表示欄３１０に、選択された設変Ｎｏが表示される。
【０１２４】
この状態で、承認開始ボタン３２２が押下されると、ＣＰＵ２０１は、ディスプレイ２０２に図示しない、担当者名入力欄と日付入力欄及びＯＫボタンを表示して、入力を促す。そして、担当者名入力欄と日付入力欄にそれぞれ担当者名及び日付入力がされて、図示しない前記ＯＫボタンが押下されると、ＣＰＵ２０１は、前記選択された設変Ｎｏを含む部品情報ＰＮ、及び部品構成情報ＰＳの有効日（登録時）の項目に、前記日付欄に入力された日付を記録する。又、ＣＰＵ２０１は、Ｓ４０で行われた設変内容を含んだ仮データベースをＰＤＭ本体システム１００のデータベースに反映させる。具体的には、ＣＰＵ２０１が、前記仮データベースをＰＤＭ本体システム１００に送信すると、ＰＤＭ本体システム１００のＣＰＵ１０１は、該仮データベースを受信し、受信した仮データベースに基づいてＰＤＭデータベースＤを更新する。
【０１２５】
承認開始ボタン３２２を押下した後は、操作者は、戻るボタン３２４を押下して、図８の初期メニューに戻る。
（Ｓ９０：システム終了）
Ｓ８０の処理が終了後、初期メニューの終了ボタン８０を操作者が押下してシステムを終了する。
【０１２６】
以上のように構成された拡張ＰＤＭシステム１０は、下記の特徴がある。
（１）  拡張ＰＤＭシステム１０は、複数の部品を一枚の図面に記述するための図面データＤ０、及び該図面データＤ０に関連した部品品目情報を記憶するハードディスク２０５（記憶手段）と、設変対象の部品に関する部品品目情報Ｄ２（部品情報ＰＮ，部品構成情報ＰＳ）に対して設変処理を行うＣＰＵ２０１（設変処理手段）を備えている。そして、ＣＰＵ２０１は、設変履歴付与手段として、設変処理に応じて、部品品目情報Ｄ２に含まれる設変対象の部品の品番に対して設変履歴符号を付与して該品番を更新するようにした。この結果、本実施形態では、設変処理を行う毎に、設変履歴符号が付されるため、多品一葉図面の設変履歴を容易に知ることができる。
【０１２７】
（２）  本実施形態では、ＣＰＵ２０１（設変履歴付与手段）は、設変処理を行う毎に、予め決められた順に従って設変履歴符号を設変対象の部品の品番に付与するようにした。この結果、本実施形態では、設変履歴符号が、予め決められた順に付与されるため、設変履歴の回数を容易に知ることができる。
【０１２８】
（３）  本実施形態では、ハードディスク２０５（記憶手段）は、ＣＰＵ２０１が、品番を更新したとき、更新前の品番を、部品情報ＰＮのデータである来歴品番として設変対象の部品に関する部品品目情報Ｄ２に含ませて記憶するようにした。この結果、来歴品番を読み出せば、容易に、更新前の品番を探り出せ、図面の履歴を容易に知ることができる。
【０１２９】
（４）  本実施形態では、設変処理がマイナー設変である場合には、設変履歴符号を、更新前の品番の部品と互換性があることを示す符号とした。この結果、本実施形態によれば、更新後の品番に付された設変履歴符号を見ることにより、該更新後の品番の部品が、更新前の品番の部品と互換性があることを容易に知ることができる。
【０１３０】
（５）  本実施形態では、図２０〜２３に示すように、設変履歴符号が付与されて更新された複数の品番から、図品番セットボタン９３、枝品番セットボタン９４、マウス２０４を選択手段として、代表品番と、枝品番とをそれぞれ選択するようにした。そして、ＣＰＵ２０１は、関連付け手段として、Ｓ５０で設定したデータ（選択された代表品番と枝品番）を互いに関連付けてリレーショナルデータベースとしてハードディスク２０５に保存するようにした。そして、ハードディスク２０５は、前記関連付けされた代表品番と枝品番とを記憶するようにした。この結果、関連付けされた代表品番と枝品番とに基づいて、多品一葉図面の管理を行うことができる。
【０１３１】
（６）  本実施形態では、ＣＰＵ２０１は、印刷指令手段として印刷指令をプリンタ２０６に出力することにより、関連付けされた代表品番と枝品番に基づいて、紙（印刷媒体）に対して、前記代表品番と枝品番を併記するように印刷するようにした。この結果、多品一葉図面に関して、印刷する場合、代表品番と枝品番とが印刷媒体に併記されるため、代表品番と枝品番とを明確にすることができる。
【０１３２】
なお、本発明の実施形態は以下のように変更してもよい。
○  前記実施形態では、設変指令書及び部品表のいずれをも印刷するようにしたが、いずれか一方のみ印刷できるようにしてもよい。
【図面の簡単な説明】
【０１３３】
【図１】（ａ）は拡張ＰＤＭシステム１０を示すブロック図、（ｂ）はＰＤＭデータベースＤの概念図。
【図２】（ａ）は部品情報ＰＮの説明図、（ｂ）は部品構成情報ＰＳの説明図。
【図３】（ａ）〜（ｄ）はノーマルアイコンを示す説明図。
【図４】（ａ）〜（ｃ）は変更済アイコンを示す説明図。
【図５】（ａ）〜（ｃ）は要変更アイコンを示す説明図。
【図６】（ａ）〜（ｃ）は属性変更済アイコンを示す説明図。
【図７】ＰＤＭ設変システム２００の操作フローチャート。
【図８】ディスプレイ２０２の表示画面の初期メニューを示す説明図。
【図９】設変指令書Ｎｏ台帳の画像を示す説明図。
【図１０】設変Ｎｏ選択の画像を示す説明図。
【図１１】ＰＤＭ設変対象品番検索の画像を示す説明図。
【図１２】アッシー一覧表の画像を示す説明図。
【図１３】ツリー操作画像を示す説明図。
【図１４】設変メニュー５１の表示画像を示す説明図。
【図１５】マイナー設変後の品番表示画像を示す説明図。
【図１６】アッシー一覧表の画像を示す説明図。
【図１７】アッシー一覧表の画像を示す説明図。
【図１８】アッシー一覧表の画像を示す説明図。
【図１９】出図案内リストの画像表示の説明図。
【図２０】出図案内リストの画像表示の説明図。
【図２１】出図案内リストの画像表示の説明図。
【図２２】出図案内リストの画像表示の説明図。
【図２３】出図案内リストの画像表示の説明図。
【図２４】印刷回覧設変Ｎｏ選択画像の説明図。
【図２５】印刷回覧設変Ｎｏ選択画像の説明図。
【図２６】ＣＰＵ２０１が実行するフローチャート。
【図２７】指令書の説明図。
【図２８】部品表の説明図。
【図２９】出図案内リストの説明図。
【図３０】承認設変Ｎｏ選択画像の説明図。
【符号の説明】
【０１３４】
１０…拡張ＰＤＭシステム
１００…ＰＤＭ本体システム
２００…ＰＤＭ設変システム
２０１…ＣＰＵ（設変処理手段、設変履歴付与手段、関連付け手段、印刷指令手段）
２０２…ディスプレイ
２０３…キーボード
２０４…マウス
２０５…ハードディスク（記憶手段）
２０６…プリンタ（印刷手段）
【図１】
2006127315.tif 000003
【図２】
2006127315.tif 000004
【図３】
2006127315.tif 000005
【図４】
2006127315.tif 000006
【図５】
2006127315.tif 000007
【図６】
2006127315.tif 000008
【図７】
2006127315.tif 000009
【図８】
2006127315.tif 000010
【図９】
2006127315.tif 000011
【図１０】
2006127315.tif 000012
【図１１】
2006127315.tif 000013
【図１２】
2006127315.tif 000014
【図１３】
2006127315.tif 000015
【図１４】
2006127315.tif 000016
【図１５】
2006127315.tif 000017
【図１６】
2006127315.tif 000018
【図１７】
2006127315.tif 000019
【図１８】
2006127315.tif 000020
【図１９】
2006127315.tif 000021
【図２０】
2006127315.tif 000022
【図２１】
2006127315.tif 000023
【図２２】
2006127315.tif 000024
【図２３】
2006127315.tif 000025
【図２４】
2006127315.tif 000026
【図２５】
2006127315.tif 000027
【図２６】
2006127315.tif 000028
【図２７】
2006127315.tif 000029
【図２８】
2006127315.tif 000030
【図２９】
2006127315.tif 000031
【図３０】
2006127315.tif 000032